(57)【要約】  本発明は、フィルタートウストリップ（１０）、特に接続され、捲縮されたフィラメントからなるツイントウであって、前記捲縮フィラメントが少なくとも２つの部分的ストリップ（１２ａ，１２ｂ）を形成し、前記２つの部分的ストリップが架橋結合密度の低い領域（１１）によって連結され、連結フィラメント（１３）が相互ループ及び／又は相互フックにより交点（１４）を形成している、フィルタートウストリップに関する。前記フィルタートウストリップは、部分的ストリップ（１２ａ，１２ｂ）の最大架橋分離力がフィルタートウストリップ（１０）の約２０ｃｍ長さあたり２０ｃＮ以下であること、並びに、最大架橋分離力がかかる場合のフィルタートウストリップ（１０）の２０ｃｍ長さ当たりの連結フィラメント（１３）の架橋フック及び／または架橋ループの数が２００以下であること、の両方またはいずれか一方を満たすことを特徴とする。【選択図】図１
2011506793.tif 000002
【特許請求の範囲】
【請求項１】
フィルタートウストリップ（１０）、特に接続され、かつ捲縮されたフィラメントからなるツイントウであって、
前記捲縮フィラメントが少なくとも２つの部分的ストリップ（１２ａ，１２ｂ）を形成し、前記２つの部分的ストリップが架橋結合密度の低い領域（１１）によって連結され、連結フィラメント（１３） は相互ループ及び／又は相互フックにより交点（１４）を形成し、
部分的ストリップ（１２ａ，１２ｂ）の最大架橋分離力がフィルタートウストリップ（１０）の２０ｃｍ長さあたり２０ｃＮ以下であること、並びに、
最大架橋分離力がかかる場合のフィルタートウストリップ（１０）の２０ｃｍ長さ当たりの連結フィラメント（１３）の架橋フック及び／または架橋ループの数が２００以下であること、
の両方またはいずれか一方を満たす、ことを特徴とするフィルタートウストリップ。
【請求項２】
前記最大架橋分離力が１５ｃＮ以下、特に１０ｃＮ以下、特に７ｃＮ以下、特に５ｃＮ以下、特に４ｃＮ以下、特に３ｃＮ以下、特に２ｃＮ以下、特に１ｃＮ以下であることを特徴とする請求項１記載のフィルタートウストリップ（１０）。
【請求項３】
架橋密度の低い領域（１１）おけるフィラメント（１３）の架橋フック及び／または架橋ループの数が１５０以下、特に１２５以下、特に１００以下、特に７５以下、特に５０以下、特に４０以下、特に３０以下、特に２５以下、特に２０以下、特に１５以下、特に１０以下、特に５以下であることを特徴とする請求項１または２に記載のフィルタートウストリップ（１０）。
【請求項４】
部分的ストリップ（１２ａ，１２ｂ）が並行して配置されることを特徴とする請求項１〜３の何れか１項に記載のフィルタートウストリップ（１０）。
【請求項５】
部分的ストリップ（１２ａ，１２ｂ）が端部において互いにオーバーラップして配置されることを特徴とする請求項１〜３の何れか１項に記載のフィルタートウストリップ（１０）。
【請求項６】
部分的ストリップ（１２ａ，１２ｂ）が重ねて配置され、連結フィラメント（１３）がストリップ（１２ａ，１２ｂ）部分のオーバーラップの領域に、特に共通する中央トラックに、端部トラックに、全幅上に、または横方向に不規則に分布して配置されていることを特徴とする請求項１〜３の何れか１項に記載のフィルタートウストリップ（１０）。
【請求項７】
フィルターストリップ（１０）、特にツイントウの部分的ストリップ（１２ａ, １２ｂ） を分離するための少なくとも１つの分離機構が、スプレッダーノズル（２０ａ，２０ｂ）の上流に配置されていることを特徴とする、少なくとも１つのスプレッダーノズル（２０ａ，２０ｂ）、設計機構、噴霧機構及びフォーマット部を有する二連フィルターロッド装置。
【請求項８】
分離機構（２１）が少なくとも２つのガイドリング（２２ａ，２２ｂ）を備え、前記ガイドリングが部分的ストリップ（１２ａ，１２ｂ）に、適度な力を働かせるように取り付けられていることを特徴とする請求項７に記載の装置。
【請求項９】
前記分離機構（２１）がフィルタートウストリップ（１０）の運搬方向に配置される少なくとも１つの分離ウェッジ（２３）を備えることを特徴とする請求項７または８に記載の装置。
【請求項１０】
分離機構（２１）が２つのスプレッダーノズル（２０ａ，２０ｂ）を備え、前記スプレッダーノズルは、その入り口が一列ではなく、部分的ストリップ（１２ａ，１２ｂ）に適度な力が作用するように配置される、ことを特徴とする請求項７〜９の何れか１項に記載の装置。
【請求項１１】
分離した部分的ストリップ（１２ａ，１２ｂ）の張力を測定するための張力測定装置が直接的に分離機構（２１）の下流に配置されることを特徴とする請求項７〜９の何れか１項に記載の装置。
【請求項１２】
各部分的ストリップ（１２ａ，１２ｂ）の輸送速度が部分的ストリップ（１２ａ，１２ｂ）における張力によって制御される制御機構を備えることを特徴とする請求項７〜１１の何れか１項に記載の装置。
【請求項１３】
特に請求項１〜 ６のいずれか１項に記載のフィルタートウストリップ（１０）の製造方法であって、
接続され、かつ捲縮されたフィラメント（１３）からなる少なくとも２つの部分的ストリップ（１２ａ，１２ｂ）が架橋密度の低い領域（１１）を介して連結され、
前記架橋密度の低い領域（１１）のフィラメント（１３）は、架橋ループ及び／または架橋フックを有し、
フィルタートウストリップ（１０）の２０ｃｍ長さあたりの最大架橋分離力が２０ｃＮ以下となること、並びに、
最大架橋分離力がかかる場合のフィルタートウストリップ（２０）の約２０ｃｍ長さあたりのフィラメント（１３）の架橋フック及び／または架橋ループの数が２００以下となること、
の両方またはいずれか一方を満たす、フィルタートウストリップ（１０）の製造方法。
【請求項１４】
特に請求項４に記載のフィルタートウストリップを製造する方法であって、部分的ストリップ（１２ａ，１２ｂ）が並行して配置され、一緒に捲縮されることを特徴とする、請求項１３に記載の方法。
【請求項１５】
特に請求項５に記載のフィルタートウストリップを製造する方法であって、部分的ストリップ（１２ａ，１２ｂ）が、互いに部分的オーバーラップするように誘導され、ニードリング、エアジェット、または水ジェットにより結合フィラメントが製造されるように機械的に処理されることを特徴とする、請求項１３に記載の方法。
【請求項１６】
特に請求項６に記載のフィルタートウストリップを製造する方法であって、部分的ストリップ（１２ａ，１２ｂ）が互いに完全にオーバーラップするように誘導され、ニードリング、エアジェットまたは水ジェットにより結合フィラメントが製造されるように機械的に処理されることを特徴とする請求項１３に記載の方法。
【請求項１７】
フィルタートウストリップが部分的ストリップ（１２ａ，１２ｂ）に分離され、分離された部分的ストリップ（１２ａ，１２ｂ）は、別々の缶、若しくは複数の充填領域を有する分離缶または単一缶に入れられることを特徴とする請求項１３〜１６の何れか１項に記載の方法。
【請求項１８】
分割されていないフィルタートウストリップ（１０）が缶に入れられることを特徴とする請求項１３〜１６の何れか１項に記載の方法。
【請求項１９】
接続され、かつ捲縮されたフィラメントからなるフィルタートウストリップからフィルターロッドを製造する方法であって、
フィルタートウストリップ（１０）、特にツイントウは、前処理部及びフォーマット部を経由して輸送され、
前記フィルタートウストリップ（１０）は、架橋密度の低い領域（１１）を介して連結された少なくとも２つの部分的ストリップ（１２ａ，１２ｂ）を有し、
前記架橋密度の低い領域（１１）のフィラメント（１３）は、相互ループ及び/または相互フックにより交点（１４）を形成し、
前記部分的ストリップ （１２ａ，１２ｂ）は、フォーマット部の前に最大架橋分離力で分離され、前記最大架橋分離力は、約２０ｃｍ長さのフィルタートウストリップに対して２０ｃＮ以下である、ことを特徴とするフィルターロッドの製造方法。
【発明の詳細な説明】
【技術分野】
【０００１】
本発明は、請求項１の前文に記載される特徴を有するフィルタートウストリップ、フィルターロッド装置、フィルタートウストリップの製造方法、フィルターロッドの製造方法に関する。
【背景技術】
【０００２】
先行技術として、出願人の特許EP 0 629 722 A1により公知のフィルタートウストリップが挙げられる。
【０００３】
煙草の製造に際してフィルターが使用されるが、このフィルターは、捲縮されたセルロースアセテート繊維の束または連続的なストランド、いわゆるフィルタートウより製造される。フィルタートウの製造工程において、セルロースアセテートの引き伸ばされた繊維はスタッファーボックスで捲縮され、この捲縮構造は、乾燥機を通過することで固定される。フィルタートウは、何メートルもの高さを有する缶の中に充填され、一定の最終湿度下に置かれると、緩んで通常の形状となる。緩んだトウの層は、次いでベールプレスで圧縮されてフィルタートウベールを形成し、最終梱包され、このベールはさらにフィルター加工工程に供給される。
【０００４】
フィルタートウの製造工程の詳細は、下記の論文に記載されている。
記
2011506793.tif 000003
【０００５】
フィルタートウは、フィルターロッド装置上でフィルターロッドに加工される。フィルターロッド装置において、フィルタートウを準備段階で可能な限り膨張させることにより最大の充填力を生じ、これによりフィルタートウが凝集し、将来のたばこフィルターの形状となり、紙で包まれる。フィルタートウを膨張させるために、フィルタートウは圧縮空気で制御されるスプレッダーノズルにより引き剥がされ、筋状またはスクリュー状の表面を有する延伸ローラーにより引き込まれる。その後、引き剥がされたフィルタートウはトリアセチンスプレーボックスに入れられ、アセテート表面に溶剤が働き、表面が粘着性とされる。フィルターロッド装置の初期処理部分において、フィルタートウの束は凝集圧縮され、将来のフィルターロッドの断面を形成する。この場合、フィラメント同士が付着し、さらなる加工と消費者に望ましいフィルターの固さを有する、三次元網状構造を形成する。
【０００６】
生産性を向上させる方法として知られるのは、例えば、出願人の特許DE 43 20 317に記載される方法であり、二連フィルターロッド装置によってフィルターロッドを製造する方法である。このフィルターロッド装置において、２つのフィルタートウのストランドが並行して同時に加工される。２つのストランドの性能を同等とするため、冒頭のEP 0 629 722 A1は、所望の引き裂き線を有する多連幅のフィルタートウストリップの使用について記載している。 フィルタートウストリップは、所望の引き裂き線に沿って、全体的に同じ幅を有する個々のストリップに分離することができる。全体または二連ストリップを２つの個々のストリップに分離することは確立されているため、二連幅のフィルタートウストリップは、ツイントウとも言う。多連幅のフィルタートウストリップを分離するために、ストリップは、左右方向に伸展力をかけると複数の部分に分かれるように構成されていることがEP 0 629 722 A1に開示されている。
【発明の概要】
【発明が解決しようとする課題】
【０００７】
品質及び製造工程を問題なく保つために、多連幅のフィルタートウストリップの分離はできるだけ均一に行うことが重要であり、また、できるだけ均一に部分ストランドをダブルロッド製造機に導入することが重要である。
【０００８】
本発明は、フィルタートウストリップ、特に接続され（vernetzten）、捲縮された二連フィラメントからなるツイントウであって、フィルターロッド装置上、特にダブルフィルターロッド装置上でできる限り問題なく製造することができ、かかるフィルタートウストリップの分離ができる限り均一に行われ、連続製造が可能なフィルタートウストリップを開示することを目的としている。さらに、本発明は、フィルタートウストリップができるかぎり抵抗無く分離されるフィルターロッド装置、特にダブルフィルターロッド装置、及びフィルタートウストリップ、特にツイントウを製造する方法、及びフィルターロッドを製造する方法を開示することを目的とする。
【課題を解決するための手段】
【０００９】
本発明において、この目的は、フィルタートウストリップに関しては請求項１によって達成され、フィルターロッド装置に関しては請求項７よって達成され、方法に関しては、請求項１３及び１９によって達成される。
【００１０】
本発明は、フィルタートウストリップの分離が、高速運転条件下の工程においても実質的に問題なく達成されるという利点を有する。 フィルターロッドの張力変動及びそれに伴う品質変動は、ツイントウを形成する半分のフィルタートウ同士の結合力が一定化されることにより、効果的に避けられる。単にフィルタートウストリップの縦の引裂力を開示するEP 0 629 722 A1とは異なり、本発明のフィルタートウストリップは、具体的には約２０ｃｍの長さにおいて、最大の架橋分離力が２０ｃＮ以下となることが定義されている。これは、EP 0 629 722 A1に開示されるストリップより、はるかに精密に分離条件を調整できるので、ストリップの分離挙動を改善できるという利点がある。
【００１１】
スプレッダーノズルの前、または本発明に係るフィルターロッド装置のスプレッダーノズルの前で、フィルタートウストリップが２つの独立したフィルタートウストリップへ分離されることにより、本発明に係るフィルタートウよりなるツイントウベールを通常のフィルタートウよりなる２つのベールへと問題なく変化させることができる（ただし、使用されるフィルタートウ材料による）。
【００１２】
本発明の好適な実施形態は、下位請求項に開示されている。
【００１３】
本発明は、下記の概略図を参照した実施形態により、より詳細に開示される。
【図面の簡単な説明】
【００１４】
【図１】本発明の実施形態のフィルタートウストリップの断面概略図を示す。フィルタートウストリップは、クロス分離力を測定するためにクランプに固定されている。
【図２】本発明の様々な実施例のフィルタートウストリップの断面図を示す。部分的ストリップの間の連結領域が多様に配列されている。
【図３】分離機の領域における本発明の実施形態の二連フィルターロッド装置の概略図を示す。
【発明を実施するための形態】
【００１５】
本発明に係るフィルタートウストリップ１０の例を、図１に示す。ここでは、フィルタートウストリップ１０は、二連幅のフィルタートウストリップ、すなわち接続されたフィラメントで形成された、いわゆるツイントウである。フィルタートウストリップ１０は、２つの部分的ストリップ１２ａ，１２ｂからなる。これらの部分的ストリップは、架橋結合密度の低い領域１１によって連結されている。フィラメント１３は、架橋結合密度の低い領域１１において２つの部分的ストリップ１２ａ、１２ｂを連結し、フィラメント１３は、交点１４を形成して、相互にループ及び／またはフックを生じる。
【００１６】
本発明は、二連幅のフィルタートウストリップ１０に制限されず、相応して互いに連結される多連の部分的ストリップ、例えば３つまたは４つの部分的ストリップを有する多連幅のフィルタートウストリップも包含する。
【００１７】
図１のフィルタートウストリップ１０は、測定機器の２つのクランプＡ間で固定される。２つのクランプＡが互いに離間する方向に移動することにより、フィルタートウストリップまたはツイントウの２つの部分的ストリップ１２ａ，１２ｂと、その間の架橋結合密度の低い領域１１とを見ることができる。特に部分的ストリップを上下に配置する場合は、クランプＡではなく、クラムクリートを使用することができる。
【００１８】
結合領域１１は、部分的ストリップを分離する必要があるため、約２０ｃｍの長さにおいて、架橋分離力が最大で２０ｃＮを上回らないように設定される。この場合、最大架橋分離力は、フィルタートウストリップ１０の長軸方向に垂直な力に相当する。架橋分離力は、クランプＡ同士が連続的に離間することにより、ストリップが完全に分離して架橋分離力が再び減少する直前まで、連続的に大きくなる。最大架橋分離力は２０ｃＮ以下であり、例えば１５ｃＮ、１０ｃＮ、７ｃＮ、５ｃＮ、４ｃＮ、３ｃＮ、２ｃＮまたは１ｃＮでもよい。
【００１９】
この場合、最大架橋分離力は、０.５ｃＮ〜２０ｃＮ以下の範囲とし、前記上限値と０.５ｃＮの下限を組み合わせることが可能である。さらに可能な下限は、１ｃＮ、１.５ｃＮ、２ｃＮ、２.５ｃＮである。
【００２０】
最大架橋分離力の代替または追加として、２つの部分的ストリップ１２ａ、１２ｂ間の連結領域１１における連結フィラメント１３の数によってフィルタートウストリップ１０の分離挙動を決定づけることができる。連結フィラメント１３の検出は、図１で示すように、例えば２つの部分的ストリップ１２ａ、１２ｂの完全な分離の直前における架橋分離力の測定によって行われる。２つの部分的ストリップ１２ａ、１２ｂあるいはその半分の分離の間、結合フィラメント１３は、部分的に引き裂かれ、及び／または解除され、分離挙動を判定するために、なおも介在、または結合するフィラメントは、完全分離の直前、すなわち、架橋分離力が最大となるときに検出される。
【００２１】
結合フィラメント１３の数を判定するために、それぞれの部分的ストリップ１２ａ、１２ｂを連結または介在するフィラメントは、いずれの場合にも、１つの連結フィラメントとみなされる。これは、連結フィラメント１３の数は実質的に交点１４の数に相当することを意味する。図１の実施例では、クランプＡの右端の連結Iは２本の相互にループされたフィラメント１３で構成される。これらのフィラメントは、結合フィラメント１３の数を決定する１つのフィラメントと見なされ、１つの交点１４を有する。連結IIも同様であり、２つのフィラメント１３が連結され、交点１４を形成する。連結IIIでは、４つのフィラメント１３が互いに連結され、２つの交点１４を形成する。従って、連結IIIは、２つの結合フィラメント１３で構成される。これは、最大の架橋分離力に換算すると、２０ｃｍの長さにおいて最大で２００の交点を有することを意味する。２０ｃｍあたりの交点の数の下限は、１つでもよい。また、２，３，４，５，６，７，８，９，１０の交点を下限値としてもよい。
【００２２】
製造方法によっては、フィラメント１３は、ループされるだけでも良い。すなわち、個々のフィラメント１３は、ステッチまたはループを形成して互いに係合し、連結を形成する。また、フィラメント１３はフックされ、少なくとも１つの連結フィラメント対の少なくとも一方端が自由端を形成し、ステッチ、ループまたはさらなるフィラメントの引っ掛かりにより連結されていてもよい。更に、ループ及びフックされたフィラメント１３の組合せも可能である。この場合、連結フィラメント１３は、交点１４を形成する。すなわち、２つの部分的ストリップ１２ａ、１２ｂの反対側のフィラメントが互いに対面し、かつ架橋する。
【００２３】
最大架橋分離力に関しては、かかるフィルタートウストリップの最大架橋分離力を測定したそのサンプルの９５％が、約２０ｃｍ長さあたりの最大架橋分離力について２０ｃＮの上限値条件を満たしていれば十分である。これは、本発明は、フィルタートウストリップを処理するフィルターロッド装置の連続運転が大きく損なわれない限り、セクションによっては最大架橋分離力が２０ｃＮの上限を超過するフィルタートウストリップをも包含することを意味する。上記に言及された９５％の許容範囲は、９９％とすることがより好ましいが、この場合において９５％が適切な範囲であることが証明されている。また、ツイントウのサンプルの９５％について、その連結領域において、２つのトウ半分または部分的ストリップの２０ｃｍあたりのフィラメントの架橋フックまたは架橋ループによる連結の数が５０未満であれば、有利な効果を奏することが証明されている。また、ツイントウのサンプルの９９％について、２つの部分的ストリップ１２ａ、１２ｂの２０ｃｍあたりの架橋フックまたは架橋ループの数が１００未満であってもよい。
【００２４】
フィルタートウストリップ部の２０ｃｍの基準の長さは、最大架橋分離力を測定するために異なる長さとしてもよく、例えば、より長いものを選択してもよいことは明らかである。基準をより長くすれば、最大架橋分離力はそれに応じて増加する。
【００２５】
フィルタートウストリップは、長手方向の伸び、または長手方向の張力において最適化されるが、それと対照的に、本発明の実施形態におけるフィルタートウストリップは、架橋分離力の観点から、連結領域、即ち架橋結合密度の小さい、または低い領域１１において最適化される。結果として、部分ストリップ１２ａ、１２ｂの改善された確実な分離は、最適化されたパラメータ、即ち架橋分離力が分離方向にかかるときに達成される。分離方向は、フィルタートウストリップ１０の長手方向に対して垂直である。
【００２６】
ツイントウの品質に関係するパラメータを測定するために、クランプ器具を有する張力測定装置が使用される。かかる装置は２０ｃｍ長さを固定するクランプ１組を有する。架橋分離力を測定するために、２０ｃｍの長さを有するフィルタートウ片は、その端部が両クランプ部に固定されることにより、長手方向にそってクランプに固定される。張力測定装置でのクランプAは、ゆっくり相互に離間され、まずツイントウが拡張した状態となる。これに要する力を測定する。繊維ストランドの接続捲縮フィラメントは、不織布構造を形成する。ストリップ部分間の連結領域、すなわち、低い架橋密度を持つ領域では、２つのツイントウ部分間の継ぎ目が開く。たとえば、かかる開口領域は、例えば、接続パターンを形成するフィラメントの架橋フックまたは架橋ループの数によって特徴づけられる。クランプＡはさらに離間方向に移動し、かかる架橋分離力は、２つのトウ半分と連結するフィラメントが最大の張力を受けるその極大点を通過する。次いで、フィラメントの架橋フックまたは架橋ループの数が検出される。
【００２７】
クランプがさらに離間方向に移動すると、ツイントウの２つのトウ半分の結合フィラメントによる相互フックまたは相互ループは引き裂かれ、架橋分離力は減少する。
【００２８】
フィルタートウストリップ１０の部分的ストリップ１２ａ、１２ｂ の配置における、多様な実施形態を、図２ａ〜２ｆに示す。図２ａによれば、部分的ストリップ１２ａ、１２ｂは並行して配置され、連結領域１１及び部分的ストリップ１２ａは、同一平面上に配置される。例えば、図２aの配置において、２つの部分的ストリップ１２ａ、１２ｂは同時に捲縮されて製造され、連結領域１１の架橋密度は、最大架橋分離力が１０ｃＮとなるように調整される。
【００２９】
図２ｂ〜２ｆによれば、２つの部分的ストリップ１２ａ、１２ｂは、少なくとも部分的にまたは完全にオーバーラップして配置される。２つのストリップ部分の連結は、機械的ニードリング、またはエアジェットまたは水ジェット手段によるニードリングによって形成することができる。図２ｂの実施形態において、ストリップ部分は、端部の領域において互いにオーバーラップして配置される。図２ｃによれば、部分的ストリップ１２ａ、１２ｂは、互いに完全にオーバーラップして配置され、フィラメント１３は、共通の中央トラック部分に配置される。図２ｄの実施形態では、連結フィラメント１３または連結領域１１は、端部トラックに形成される。図２ｅに示すように、部分的ストリップ１２ａ、１２ｂがオーバーラップした全幅上に連結フィラメント１３を設けることが可能である。さらに、図２ｆに示すように、２つのストリップ部分１２ａ、１２ｂ間に連結フィラメント１３を長手方向に不規則に分散させて配置することもできる。
【００３０】
二連フィルターロッド装置の３つの実施形態を図３ａ〜図３ｃに示す。いずれの形態においても、２つのスプレッダーノズル２０ａ，２０ｂを有する。なお、一般に存在する機械部、例えば、設計機構、噴霧機構及びフォーマット部は、図示されていない。図３ａに示されるように、分離ウェッジ２３の形での分離機構２１は、２つのスプレッダーノズル ２０ａ、２０ｂの上流に配置され、分離機構２１は、２つの塗布ノズル ２０ａ、２０ｂの間に配置されている。この場合、分離ウェッジ２３の分離刃が、フィルタートウストリップ１０の輸送方向に対向するように配され、フィルタートウストリップ１０は、その分離刃によって切り離される。よりよい方向づけのために、２つのガイドリング２２ａ、２２ｂは、分割ウェッジ２３の下流に配置され、誘導リング２４は、その上流に配置される。図３aの実施形態において、ガイドリング２２ａ、２２ｂは、それらが、部分的ストリップ１２ａ、１２ｂ上に適度な力を及ぼすように取り付けられる。
【００３１】
２つのスプレッダーノズル２０ａ及び２０ｂは、それら自体が分離機構２１として使用される（図３ｂ）。２つの塗布ノズル２０ａ及び２０ｂは、それらの入り口が一列ではなく、各部分的ストリップ１２ａ、１２ｂに適度な力が作用するように配置される。この実施形態においては、スプレッダーノズル２０ａ，２０ｂが離間して配され、フィルタートウストリップ１０の分岐点は、スプレッダーノズル２０ａ，２０ｂの上流に配置される。図３ｂにおける分岐の効果を強化するため、図３ｃに示されるように、離間して配置されたスプレッダーノズル２０ａ、２０ｂの分岐点の領域に、図３ａの例と同様の分割ウェッジ２３を設けてもよい。
【００３２】
分離した部分的ストリップ１２ａ、１２ｂの張力を測定する張力測定装置、分離機構２１の下流に直接配置することができる（図示せず）。さらに、個々の部分的ストリップ１２ａ、１２ｂの輸送速度を、部分的ストリップ１２ａ、１２ｂにおける張力に応じて制御する制御機構が設けてもよい。
【００３３】
フィルタートウストリップを製造する方法において、２つの部分的ストリップ１２ａ、１２ｂ間の連結領域での架橋密度は、部分的ストリップの最大架橋分離力が約２０ｃｍ長さあたり２０ｃＮ以下となるように調整される。これは、たとえば、部分的ストリップが互いに並行して配置され、とも捲縮されることで達成することができ、架橋密度は、捲縮時における部分的ストリップ間の距離によって制御される。また、部分的ストリップ１２ａ、１２ｂが部分的または完全に互いにオーバーラップして配置される場合、架橋密度は、機械的ニードリングによって、あるいはエアジェットまたは水ジェット手段によるニードリングをすることによって制御できる。
【００３４】
フィルタートウストリップ１０は、ベール包装の前に部分的ストリップ１２ａ、１２ｂに分離することができ、分離された部分的ストリップ１２ａ、１２ｂは、別々の缶、または、複数の充填領域のある分離缶または単一缶に入れられる。缶に分割されていないフィルタートウストリップを充填して包装し、ベールを形成してもよい。後者の場合では、フィルタートウストリップの部分的ストリップ１２ａ、１２ｂへの分離が、フィルターロッドの製造時に行われ、フィルタートウストリップ１０の分離時の最大架橋分離力は、２０ｃｍ長さあたり２０ｃＮ以下となる。フィルタートウストリップ１０を分離するために、好ましくは二連フィルターロッド装置が使用され、図３ａ、３ｂ、３ｃに示すように、この製造機は、スプレッダーノズルの上流に分離機構を有する。
【００３５】
本発明に従って製造されたフィルタートウ（ツイントウ）について、架橋結合密度の低い領域における所望の引裂き線での分離力を測定したところ、１の実施例では７〜１２ｃＮ、別の実施例では２.５〜４ｃＮであった。これらの値は、測定範囲の下限及び上限に相関する。さらに他の実施例では、１ｃＮ〜１０ｃＮ及び０．５ｃＮ〜５ｃＮの最大架橋分離力が測定された。最大架橋分離力が１ｃＮ〜１０ｃＮのとき、連結フィラメントの数または交点の数は２〜２０であった。上記に示された値は、連結フィラメントの数に対する平均値である（無作為のサンプルのうち、最大で半分は平均未満の値を示し、最大で半分は平均超の値を示す）。
【００３６】
さらに他の実施例において、平均最大架橋分離力/連結フィラメントの数を測定・算出したところ、以下の数値が得られた。８ｃＮ /８０, ７ｃＮ/２５, ２ｃＮ /４ 及び ４ｃＮ/８。
【００３７】
たとえば、捲縮装置における部分的ストリップの間隔を替えることによって、上記に示すように、架橋分離力及び連結フィラメントの数を調節できる。
【符号の説明】
【００３８】
１０…フィルタートウストリップ
１１…架橋結合密度の低い領域
１２ａ，１２ｂ…部分的ストリップ
１３…フィラメント
１４…交点
２０ａ，２０ｂ…スプレッダーノズル
２１…分離機構
２２ａ，２２ｂ…ガイドリング
２３…分離ウェッジ
２４…誘導リング
Ａ…クランプ
【図１】
2011506793.tif 000004
【図２ａ】
2011506793.tif 000005
【図２ｂ】
2011506793.tif 000006
【図２ｃ】
2011506793.tif 000007
【図２ｄ】
2011506793.tif 000008
【図２ｅ】
2011506793.tif 000009
【図２ｆ】
2011506793.tif 000010
【図３ａ】
2011506793.tif 000011
【図３ｂ】
2011506793.tif 000012
【図３ｃ】
2011506793.tif 000013
【国際調査報告】
2011506793.tif 000014
2011506793.tif 000015
2011506793.tif 000016
2011506793.tif 000017
2011506793.tif 000018
2011506793.tif 000019